(57)【要約】      （修正有）【課題】水の添加が便利で、クリーニングがより完全な、水タンクの出し入れを容易にする空調ファンを提供する。【解決手段】空調ファンは、箱本体、水タンク及びウォーターポンプ３を備え、箱本体の下部には水タンクの収容空間１０が設けられ、箱本体の後側壁には水タンクが出入りする開口１１が設けられ、ウォーターポンプブラケット４、支持板５及びリターンエレメントを更に備える。水タンクが開口から押し込まれるとき、支持板は水タンクに押圧されて回転し、ウォーターポンプブラケットが重力で下向きに回転し、ウォーターポンプが水タンク内に移動する。水タンクが開口から引き出されるとき、ウォーターポンプブラケットは徐々に水タンクの側壁により上昇され、支持板はリターンエレメントの作用で初期位置方向に回転し、水タンクが完全に取り外されるとき、支持板はウォーターポンプブラケットの下方に支持される。【選択図】図１
0003204522.tif 000002
【実用新案登録請求の範囲】
【請求項１】
水タンクの出し入れを容易にする空調ファンであって、箱本体、水タンク及びウォーターポンプを備え、前記箱本体の下部には前記水タンクの収容空間が設けられ、前記箱本体の後側壁には、前記水タンクが前記収容空間に出入りするための開口が設けられており、
ウォーターポンプブラケット、支持板及びリターンエレメントを更に備え、
前記ウォーターポンプは前記ウォーターポンプブラケットの一端に固定されており、前記ウォーターポンプブラケットの他方の一端は前記開口から離れた前記箱本体の内側壁にヒンジ連結され、前記ウォーターポンプブラケットは前記ウォーターポンプを上下揺動させることができ、
前記支持板は前記箱本体の左側壁又は右側壁にヒンジ連結され、且つ前記支持板は水平方向に回転でき、前記リターンエレメントは、前記支持板が自然状態で前記左側壁又は右側壁に延伸しかつ前記ウォーターポンプブラケットを持ち上げるように作用しており、
前記水タンクが前記開口から押し込まれるとき、前記支持板は前記水タンクにより押圧されて回転して、前記ウォーターポンプブラケットによって動かされる前記ウォーターポンプが下向きに移動するようにされており、
前記水タンクが前記開口から引き出されるとき、ウォーターポンプブラケットは徐々に水タンクの側壁により高く引き上げられ、支持板はリターンエレメントの作用で初期位置に復帰する方向に回転しており、最終的に水タンクが完全に取り外されるとき、支持板はウォーターポンプブラケットの下方に支持される、ことを特徴とする水タンクの出し入れを容易にする空調ファン。
【請求項２】
前記ウォーターポンプブラケットは第２回転軸を介して前記箱本体にヒンジ連結されており、前記支持板は第１回転軸を介して前記箱本体にヒンジ連結されており、前記第１回転軸と第２回転軸とはそれぞれ固定アセンブリにより前記箱本体の側壁に設けられており、
前記固定アセンブリは、回転軸台、回転軸固定台、アセンブリ固定台及びスクリューを備え、２つの前記アセンブリ固定台と２つの前記回転軸固定台とは前記箱本体の側壁に直線的に固定され、且つ、２つの前記回転軸固定台は２つの前記アセンブリ固定台の間に並んで設けられており、
前記回転軸台の両端にはそれぞれ固定凹溝が設けられ、前記スクリューは前記固定凹溝とアセンブリ固定台を順に通過した後両者を固定しており、２つの前記固定凹溝の間には回転軸収容用前半溝が設けられ、前記回転軸固定台には回転軸収容用後半溝が設けられ、前記回転軸収容用前半溝と前記回転軸収容用後半溝とは、前記第１回転軸又は第２回転軸が収容される回転軸空間を構成し、且つ前記第１回転軸又は第２回転軸は前記回転軸空間内において回転できる、ことを特徴とする請求項１に記載の水タンクの出し入れを容易にする空調ファン。
【請求項３】
前記アセンブリ固定台は円柱状の固定ベースと固定リブにより構成され、幾つかの固定リブは前記固定ベースの周囲に放射状に固定され、且つ前記固定リブの上端面は前記固定ベースの上端面より低い、ことを特徴とする請求項２に記載の水タンクの出し入れを容易にする空調ファン。
【請求項４】
前記リターンエレメントはコイルバネであり、前記コイルバネは前記第１回転軸を被覆して設けられ、且つ前記コイルバネの一端は前記箱本体の側壁に当接され、他方の一端は前記支持板に当接されている、ことを特徴とする請求項２に記載の水タンクの出し入れを容易にする空調ファン。
【請求項５】
前記支持板には前記コイルバネの他方の一端の延伸方向に沿う係止溝が設けられ、前記係止溝は上接触面、下接触面及び側支持面により構成され、前記コイルバネの他方の一端は上接触面と下接触面との間に制限されている、ことを特徴とする請求項４に記載の水タンクの出し入れを容易にする空調ファン。
【請求項６】
前記ウォーターポンプブラケットの主ロッドは３本の筋により構成されている、ことを特徴とする請求項１に記載の水タンクの出し入れを容易にする空調ファン。
【請求項７】
前記箱本体の底部には２つのスライドストリップが互いに平行に配置され、前記水タンクの底部には、前記スライドストリップと摺動可能に係合されているスライド溝が設けられており、前記スライド溝は前記水タンクの底面が箱体の内側に凹むことで形成されている、ことを特徴とする請求項１に記載の水タンクの出し入れを容易にする空調ファン。
【請求項８】
前記水タンクの一側には押引溝が設けられ、前記押引溝は、前記水タンクの側面と底面とがそれぞれ箱体の内側に凹んで合流することにより形成される、ことを特徴とする請求項７に記載の水タンクの出し入れを容易にする空調ファン。
【請求項９】
前記箱本体の前側壁には内外二層のファン羽根のガラリが設けられており、外層ファン羽根のガラリは水平方向に沿って自動開閉が実現され、内層ファン羽根のガラリは垂直方向に手動開閉が実現されている、ことを特徴とする請求項１に記載の水タンクの出し入れを容易にする空調ファン。
【請求項１０】
前記外層ファン羽根のガラリは、幾つかの垂直羽根により構成され、幾つかの前記垂直羽根は垂直方向に配列され、且つその両端は回転軸を介して前記箱本体の前側壁に回転可能に設けられており、
前記外層ファン羽根のガラリは駆動アセンブリの調節で自動開閉が実現され、前記駆動アセンブリは駆動回転軸、連結板、偏心輪及び駆動モーターを備え、前記駆動回転軸は前記垂直羽根の上端に設置され、前記駆動回転軸は前記連結板に回転可能に設けられ、前記偏心輪は前記連結板に固定され、前記駆動モーターは前記偏心輪が回転するように駆動する、ことを特徴とする請求項９に記載の水タンクの出し入れを容易にする空調ファン。
【考案の詳細な説明】
【技術分野】
【０００１】
本考案は家電分野に関し、特に水タンクの出し入れを容易にする空調ファンに関する。
【背景技術】
【０００２】
空調ファンは、ウォーターポンプにより水タンク内の水がファン羽根の後方に位置する蒸発布に送られ、蒸発布の水が風に当たって蒸発し、蒸発により吸熱して、ファン羽根を通過する空気の温度が室温の空気の温度より低くされ、蒸発吸熱の原理を用いて降温を実現するものを指す。そのため、このような空調ファンには、水タンクとウォーターポンプを含む水循環システムが設置される必要がある。
【０００３】
従来技術では、水循環システムは、ウォーターポンプが水タンク内に固定され、水タンクが固定的に取り付けられ又は移動できるように制限される。ウォーターポンプは水タンク内に置かれる必要があるため、水タンクは、引き出されるときウォーターポンプの取り付け位置の影響を受けて、水タンクが引き出せないか又は一部のみしか引き出せない。ユーザーによる使用および清掃が不便であり、水タンク内に菌が発生しやすく、且つ水や氷の添加が不便である。
【０００４】
従って、柔軟に引き出し可能で且つ使用しやすい水タンク構造を提供する必要がある。
【考案の概要】
【考案が解決しようとする課題】
【０００５】
上記の欠陥に鑑みて、本考案の目的は、水タンクの出し入れを容易にする空調ファンを提供することである。
【課題を解決するための手段】
【０００６】
この目的を達成するために、本考案は以下の技術方案を採用する。
水タンクの出し入れを容易にする空調ファンであって、箱本体、水タンク及びウォーターポンプを備え、前記箱本体の下部には前記水タンクの収容空間が設けられ、前記箱本体の後側壁には、前記水タンクが前記収容空間に出入りするための開口が設けられており、
ウォーターポンプブラケット、支持板及びリターンエレメントを更に備え、
前記ウォーターポンプは前記ウォーターポンプブラケットの一端に固定されており、前記ウォーターポンプブラケットの他方の一端は前記開口から離れた前記箱本体の内側壁にヒンジ連結され、前記ウォーターポンプブラケットは前記ウォーターポンプを上下揺動させることができ、
前記支持板は前記箱本体の左側壁又は右側壁にヒンジ連結され、且つ前記支持板は水平方向に回転でき、前記リターンエレメントは、前記支持板が自然状態で前記左側壁又は右側壁に延伸しかつ前記ウォーターポンプブラケットを持ち上げるように作用しており、
前記水タンクが前記開口から押し込まれるとき、前記支持板は前記水タンクにより押圧されて回転して、前記ウォーターポンプブラケットによって動かされる前記ウォーターポンプが下向きに移動するようにされており、
前記水タンクが前記開口から引き出されるとき、ウォーターポンプブラケットは徐々に水タンクの側壁により高く引き上げられ、支持板はリターンエレメントの作用で初期位置に復帰する方向に回転しており、最終的に水タンクが完全に取り外されるとき、支持板はウォーターポンプブラケットの下方に支持される。
【０００７】
さらに、前記ウォーターポンプブラケットは第２回転軸を介して前記箱本体にヒンジ連結されており、前記支持板は第１回転軸を介して前記箱本体にヒンジ連結されており、前記第１回転軸と第２回転軸とはそれぞれ固定アセンブリにより前記箱本体の側壁に設けられており、
前記固定アセンブリは、回転軸台、回転軸固定台、アセンブリ固定台及びスクリューを備え、２つの前記アセンブリ固定台と２つの前記回転軸固定台とは前記箱本体の側壁に直線的に固定され、且つ、２つの前記回転軸固定台は２つの前記アセンブリ固定台の間に並んで設けられており、
前記回転軸台の両端にはそれぞれ固定凹溝が設けられ、前記スクリューは前記固定凹溝とアセンブリ固定台を順に通過した後両者を固定しており、２つの前記固定凹溝の間には回転軸収容用前半溝が設けられ、前記回転軸固定台には回転軸収容用後半溝が設けられ、前記回転軸収容用前半溝と前記回転軸収容用後半溝とは、前記第１回転軸又は第２回転軸が収容される回転軸空間を構成し、且つ前記第１回転軸又は第２回転軸は前記回転軸空間内において回転できる。
【０００８】
さらに、前記アセンブリ固定台は円柱状の固定ベースと固定リブにより構成され、幾つかの固定リブは前記固定ベースの周囲に放射状に固定され、且つ前記固定リブの上端面は前記固定ベースの上端面より低い。
【０００９】
さらに、前記リターンエレメントはコイルバネであり、前記コイルバネは前記第１回転軸を被覆して設けられ、且つ前記コイルバネの一端は前記箱本体の側壁に当接され、他方の一端は前記支持板に当接されている。
【００１０】
さらに、前記支持板には前記コイルバネの他方の一端の延伸方向に沿う係止溝が設けられ、前記係止溝は上接触面、下接触面及び側支持面により構成され、前記コイルバネの他方の一端は上接触面と下接触面との間に制限されている。
【００１１】
さらに、前記ウォーターポンプブラケットの主ロッドは３本の筋により構成されている。
【００１２】
さらに、前記箱本体の底部には２つのスライドストリップが互いに平行に配置され、前記水タンクの底部には、前記スライドストリップと摺動可能に係合されているスライド溝が設けられており、前記スライド溝は前記水タンクの底面が箱体の内側に凹むことで形成されている。
【００１３】
さらに、前記水タンクの一側には押引溝が設けられ、前記押引溝は、前記水タンクの側面と底面とがそれぞれ箱体の内側に凹んで合流することにより形成される。
【００１４】
さらに、前記箱本体の前側壁には内外二層のファン羽根のガラリが設けられており、外層ファン羽根のガラリは水平方向に沿って自動開閉が実現され、内層ファン羽根のガラリは垂直方向に手動開閉が実現されている。
【００１５】
さらに、前記外層ファン羽根のガラリは、幾つかの垂直羽根により構成され、幾つかの前記垂直羽根は垂直方向に配列され、且つその両端は回転軸を介して前記箱本体の前側壁に回転可能に設けられている。
【００１６】
前記外層ファン羽根のガラリは駆動アセンブリの調節で自動開閉が実現され、前記駆動アセンブリは駆動回転軸、連結板、偏心輪及び駆動モーターを備え、前記駆動回転軸は前記垂直羽根の上端に設置され、前記駆動回転軸は前記連結板に回転可能に設けられ、前記偏心輪は前記連結板に固定され、前記駆動モーターは前記偏心輪が回転するように駆動する。
【考案の効果】
【００１７】
本考案の有益な効果は以下の通りである。前記水タンクが前記開口から押し込まれるとき、前記支持板は前記水タンクにより押圧されて回転して、前記ウォーターポンプブラケットによって動かされる前記ウォーターポンプが下向きに移動するようにされている。
前記水タンクが前記開口から引き出されるとき、ウォーターポンプブラケットは徐々に水タンクの側壁により高く引き上げられ、支持板はリターンエレメントの作用で初期位置に復帰する方向に回転しており、最終的に水タンクが完全に取り外されるとき、支持板はウォーターポンプブラケットの下方に支持される。ウォーターポンプと水タンクが離れて取り付けられることは、水タンクが箱本体に置かれるとき、便利であり且つ力を節約する。且つ、水タンクを箱本体から完全に引き出せることは、水の添加又はクリーニング時に、水の添加が便利であり、クリーニングがより完全であり、装置の使用を保証する。
【図面の簡単な説明】
【００１８】
【図１】図１は、本考案の、水タンクが箱本体に入っていないときの一実施例の構造模式図である。
【図２】図２は、本考案の、水タンクが箱本体に入れられる過程の一実施例の構造模式図である。
【図３】図３は、本考案の、水タンクが箱本体に入れられた一実施例の構造模式図である。
【図４】図４は、本考案の固定アセンブリとウォーターポンプブラケットの取り付けの一実施例の分解図である。
【図５】図５は、本考案の固定アセンブリの一実施例の分解図である。
【図６】図６は、本考案の固定アセンブリと支持板の取り付けの一実施例の構造模式図である。
【図７】図７は、本考案の図６のＡ部分の部分拡大図である。
【図８】図８は、本考案の水タンク２の一実施例の構造模式図である。
【図９】図９は、本考案の外層ファン羽根のガラリと内層ファン羽根のガラリとの取り付けを示す図である。
【考案を実施するための形態】
【００１９】
以下、添付の図面を参照しながら、具体的な実施形態により本考案の技術案についてさらに説明する。
【００２０】
図１〜図９に示すように、水タンクの出し入れを容易にする空調ファンであって、箱本体１、水タンク２及びウォーターポンプ３を備え、前記箱本体１の下部には前記水タンク２の収容空間１０が設けられ、前記箱本体１の後側壁１０３には、前記水タンク２が前記収容空間に出入りするための開口１１が設けられており、
ウォーターポンプブラケット４、支持板５及びリターンエレメント８を更に備え、
前記ウォーターポンプ３は前記ウォーターポンプブラケット４の一端に固定されており、前記ウォーターポンプブラケット４の他方の一端は前記開口１１から離れた前記箱本体１の内側壁にヒンジ連結され、前記ウォーターポンプブラケット４は前記ウォーターポンプ３を上下揺動させることができ、
前記支持板５は前記箱本体１の左側壁又は右側壁にヒンジ連結され、且つ前記支持板５は水平方向に回転でき、前記リターンエレメント８は、前記支持板５が自然状態で前記左側壁又は右側壁に延伸しかつ前記ウォーターポンプブラケット４を持ち上げるように作用しており、
前記水タンク２が前記開口１１から押し込まれるとき、前記支持板５は前記水タンク２により押圧されて回転して、前記ウォーターポンプブラケット４によって動かされる前記ウォーターポンプ３が下向きに移動するようにされており、
前記水タンク２が前記開口１１から引き出されるとき、ウォーターポンプブラケット４は徐々に水タンク２の側壁により高く引き上げられ、支持板５はリターンエレメント８の作用で初期位置に復帰する方向に回転しており、最終的に水タンク２が完全に取り外されるとき、支持板５はウォーターポンプブラケット４の下方に支持される。
【００２１】
本実施例において、箱本体１は箱状構造であり、左右側壁、前後側壁はいずれも同一平面にはない。且つ、左側壁と右側壁との間は互いに平行な関係にあり、左、右側壁と前、後側壁との間は互いに直交する関係にある。
【００２２】
前記水タンク２が前記箱本体１に進入していないとき、図１に示すように、支持板５は、ウォーターポンプ３の下方に支持されて、前記水タンク２が水添加され又は洗浄される過程において、所属ウォーターポンプ３が安定して持ち上げられることを確保しており、ウォーターポンプ３とウォーターポンプブラケット４が前記水タンク２の収容空間１０から離れるように支持されて、水タンク２を前記箱本体１の収容空間１０内にスムーズに押し入れる。
【００２３】
水タンク２が図２の矢印方向に沿って箱本体１内に押圧されるとき、水タンク２は支持板５に前方への押し力を提供して、支持板５を水タンク２の進行方向側に回転させる。水タンク２が進行する過程において、支持板５とウォーターポンプブラケット４との接触点は、徐々にウォーターポンプブラケット４のヒンジ軸に向かって移動し、支持板５がウォーターポンプ３とウォーターポンプブラケット４に上向きの支持力を提供しなくなるまで、接触から徐々に離れる。上向きの支持力が失われたウォーターポンプブラケット４は重力で、固定されていない一端がウォーターポンプ３を第２回転軸７の周りに下向きに回転させて、図３に示すように、ウォーターポンプ３が前記水タンク２内に落ち込み、ウォーターポンプブラケット４が水タンク２の前側壁に傾斜する。ウォーターポンプ３は水タンク２の水を箱本体１の上方の蒸発布へ送り、蒸発布を湿潤させる。
【００２４】
水タンク２内の水を使い切り水添加の必要があるとき、水タンク２を図２の矢印の逆方向に沿って箱本体１から引き出す。水タンク２の取り外しに伴って、支持板５は前向きの押し付け力を失い、リターンエレメント８の作用で初期位置に復帰する方向に移動し、同時に、ウォーターポンプブラケット４は、支持板５が再度ウォーターポンプブラケット４の下方に戻るまで、徐々に水タンク２の側壁により持ち上げられる。水タンク２は取り外され続け、支持板５はリターンエレメント８の作用で初期位置に復帰する方向に移動し続ける。最終的に水タンク２は完全に取り外され、箱本体１の内部は図１に示すように回復し、支持板５はウォーターポンプ３の下方に支持されて、ウォーターポンプ３とウォーターポンプブラケット４が前記水タンク２の収容空間１０から離れるように支持される。
【００２５】
ウォーターポンプ３と水タンク２が離れて取り付けられることは、水タンク２が箱本体１に置かれるとき、便利であり且つ力を節約する。且つ、水タンク２を箱本体１から完全に引き出せることは、水の添加又はクリーニングのとき、水の添加が便利であり、クリーニングがより完全であり、装置の使用を保証する。
【００２６】
さらに、前記ウォーターポンプブラケット４は第２回転軸７を介して前記箱本体１にヒンジ連結されており、前記支持板５は第１回転軸６を介して前記箱本体１にヒンジ連結されており、前記第１回転軸６と第２回転軸７とはそれぞれ固定アセンブリ９により前記箱本体１の側壁に設けられており、
前記固定アセンブリ９は、回転軸台９０１、回転軸固定台９０２、アセンブリ固定台９０３及びスクリューを備え、２つの前記アセンブリ固定台９０３と２つの前記回転軸固定台９０２とは前記箱本体１の側壁に直線的に固定され、且つ、２つの前記回転軸固定台９０２は２つの前記アセンブリ固定台９０３の間に並んで設けられており、
前記回転軸台９０１の両端にはそれぞれ固定凹溝９０１１が設けられ、前記スクリューは前記固定凹溝９０１１とアセンブリ固定台９０３を順に通過した後両者を固定している。２つの前記固定凹溝９０１１の間には回転軸収容用前半溝９０１２が設けられ、前記回転軸固定台９０２には回転軸収容用後半溝９０２１が設けられ、前記回転軸収容用前半溝９０１２と前記回転軸収容用後半溝９０２１とは、前記第１回転軸６又は第２回転軸７が収容される回転軸空間を構成し、且つ前記第１回転軸６又は第２回転軸７は前記回転軸空間内において回転できる。
【００２７】
図４及び図５に示すように、第１回転軸６と第２回転軸７は固定アセンブリ９を介して箱本体１の側壁に設置され、着脱が便利である。回転軸固定台９０２とアセンブリ固定台９０３の下側面は、直接に箱本体１の側壁に接触して取り付けられ、接触面積がより小さく、箱本体１が破壊するのを回避できる。前記第１回転軸６又は第２回転軸７の回転軸空間は、前記回転軸収容用前半溝９０１２と前記回転軸収容用後半溝９０２１により構成され、回転空間に余裕があり、回転がより円滑であり、装置の使用が保証される。
【００２８】
前記アセンブリ固定台９０３は円柱状の固定ベース９０３１と固定リブ９０３２により構成され、幾つかの固定リブ９０３２は前記固定ベース９０３１の周囲に放射状に固定され、且つ前記固定リブ９０３２の上端面は前記固定ベース９０３１の上端面より低い。
【００２９】
図４に示すように、前記固定リブ９０３２の上端面は前記固定ベース９０３１の上端面より低い。回転軸が固定されるとき、固定ベース９０３１の上部は固定凹溝９０１１の下部に挿入され、各固定リブ９０３２の上端面は回転軸台９０１の下端面に支持面を提供し、固定強度が増大され、ウォーターポンプ３の安定性が向上する。
【００３０】
前記リターンエレメント８はコイルバネであり、前記コイルバネは前記第１回転軸６を被覆して設けられ、且つ前記コイルバネの一端は前記箱本体１の側壁に当接され、他方の一端は前記支持板５に当接されている。
【００３１】
図６に示すように、コイルバネの弾性特性を直接用いて、支持板５が外力で押圧されないとき、前記支持板５は箱本体１の側壁に直交する方向に支持される。水タンク２が押し込まれるとき、その前側壁は支持板５に対して前向きの押し付け力を与える。該押付け力は、支持板５が水タンク２の進行方向側に第１回転軸６の周りに回転するように押付けて、コイルバネは変形する。水タンク２は、引き出される過程において、支持板５に対して押付け力も阻止力もなく、コイルバネが変形を復元するとき生じる復元力は、支持板５が初期位置に向かって移動して初期位置に戻るまで押付ける。
【００３２】
外力の作用で前記第１回転軸６の周りの回転ができ、外力の作用が失われた後前記リターンエレメント８の作用で初期位置への自動復帰ができる。
【００３３】
前記支持板５には前記コイルバネの他方の一端の延伸方向に沿う係止溝５０１が設けられ、前記係止溝５０１は上接触面５０１１、下接触面５０１２及び側支持面５０１３により構成され、前記コイルバネの他方の一端は上接触面５０１１と下接触面５０１２との間に制限されている。
【００３４】
図６及び図７に示すように、コイルバネの他方の一端は係止溝５０１内に係着されて、弾性変形の方向と精度を保証する。
【００３５】
前記ウォーターポンプブラケット４の主ロッドは３本の筋により構成されている。
【００３６】
ウォーターポンプブラケット４の強度が保証されると同時に、３本の筋は、中実の板構造を代替し、ウォーターポンプブラケット４の重量を軽減し、コストを低減させ、ウォーターポンプ３の上げ下げの力を低減させる。
【００３７】
前記箱本体１の底部には２つのスライドストリップ１０２が互いに平行に配置され、前記水タンク２の底部には、前記スライドストリップ１０２と摺動可能に係合されているスライド溝２０１が設けられており、前記スライド溝２０１は前記水タンク２の底面が箱体の内側に凹むことで形成されている。
【００３８】
図１及び図８に示すように、スライドストリップとスライド溝は、水タンク２の摺動経路を制限し、動き精度を保証すると同時に、摺動時の摩擦抵抗を低減させ、押圧時に省力化する。
【００３９】
前記水タンク２の一側には押引溝２０２が設けられ、前記押引溝２０２は、前記水タンク２の側面と底面とがそれぞれ箱体の内側に凹んで合流することにより形成される。
【００４０】
水タンク２を前記箱本体１に出し入れするように押し引きするとき、作業者は手を押引溝２０２に入れて操作すればよく、効率が高く且つ便利である。
【００４１】
前記箱本体１の前側壁１０１には内外二層のファン羽根のガラリが設けられており、外層ファン羽根のガラリは水平方向に沿って自動開閉が実現され、内層ファン羽根のガラリは垂直方向に手動開閉が実現されている。
【００４２】
図１及び図９に示すように、風はファン羽根のガラリにおけるファン羽根とファン羽根との間の隙間から送られる。水平方向と垂直方向に開閉できる両層のファン羽根が設けられると、風は水平方向と垂直方向に設けられているファン羽根の隙間から送られる。そのため、両層のファン羽根の開閉角度は、ファンの送風の方向と風力を直接決定し、両層のファン羽根はそれぞれ、手動及び自動で調節でき、調節の自由度が高く、且つ多角度で調整され、異なるユーザーの使用要求を満たす。
【００４３】
前記外層ファン羽根のガラリは、幾つかの垂直羽根１２により構成され、幾つかの前記垂直羽根１２は垂直方向に配列され、且つその両端は回転軸１３を介して前記箱本体１の前側壁１０１に回転可能に設けられている。
前記外層ファン羽根のガラリは駆動アセンブリの調節で自動開閉が実現され、前記駆動アセンブリは駆動回転軸１４、連結板１５、偏心輪１６及び駆動モーター１７を備え、前記駆動回転軸１４は前記垂直羽根１２の上端に設置され、前記駆動回転軸１４は前記連結板１５に回転可能に設けられ、前記偏心輪１６は前記連結板１５に固定され、前記駆動モーター１７は前記偏心輪１６が回転するように駆動する。
【００４４】
図９に示すように、駆動モーター１７はオンされ、偏心輪１６の回転を駆動する。偏心輪１６の回転移動は連結板１５の直線移動に変換され、そして、連結板１５の直線移動は駆動回転軸１４を回転させる。駆動回転軸１４の回転は、垂直羽根１２を垂直方向に回転させて、外層ファン羽根のガラリにおける吹出し口の方向とサイズを調節する。調節が自動であり、調節と使用が便利である。
【００４５】
以上、具体的な実施例を参照しながら本考案の技術的原理を説明した。これらの説明は単に本考案の原理を解釈するためのものであり、本考案の保護範囲を限定するものと解釈してはならない。この解釈に基づいて、当業者が創作的な労働を必要とせずに得られるその他の具体的な実施例も、本考案の保護範囲に属するものとなる。
【符号の説明】
【００４６】
１  箱本体
１０１  前側壁
１０２  スライドストリップ
１０３  後側壁
２  水タンク
２０１  スライド溝
２０２  押引溝
３  ウォーターポンプ
４  ウォーターポンプブラケット
５  支持板
５０１  係止溝
５０１１ 上接触面
５０１２ 下接触面
５０１３ 側支持面
６  第１回転軸
７  第２回転軸
８  リターンエレメント
９  固定アセンブリ
９０１  回転軸台
９０１１ 固定凹溝
９０１２ 回転軸収容用前半溝
９０２  回転軸固定台
９０２１ 回転軸収容用後半溝
９０３  アセンブリ固定台
９０３１ 固定ベース
９０３２ 固定リブ
１０  収容空間
１１  開口
１２  垂直羽根
１３  回転軸
１４  駆動回転軸
１５  連結板
１６  偏心輪
１７  駆動モーター
【図１】
0003204522.tif 000003
【図２】
0003204522.tif 000004
【図３】
0003204522.tif 000005
【図４】
0003204522.tif 000006
【図５】
0003204522.tif 000007
【図６】
0003204522.tif 000008
【図７】
0003204522.tif 000009
【図８】
0003204522.tif 000010
【図９】
0003204522.tif 000011